(57)【要約】【課題】笠木の下側に隙間が形成されている壁部において、その隙間を通じて壁内の通気を好適に行う。【解決手段】建物１０の屋根１２にはパラペット１５が設けられており、パラペット１５は、パラペット本体１６と、パラペット本体１６の上端を覆う笠木１７とを有している。パラペット本体１６と笠木１７との間には笠木隙間が形成されており、笠木隙間を屋外側に向けて開放する隙間開放部が、壁厚み方向においてパラペット本体１６の両側方に設けられている。パラペット本体１６は壁内空間を有しており、パラペット本体１６の外周部には壁内空間と笠木隙間とを連通する壁通気部が設けられている。パラペット１５には、笠木隙間における空気の流れを規制する流れ規制体５１が設けられている。流れ規制体５１内の規制通路においては、壁通気部に対する空気の流れが、壁幅方向に沿って案内される一方で、壁厚み方向や壁高さ方向については遮断される。【選択図】      図１
2015132105.tif 000002
【特許請求の範囲】
【請求項１】
屋外において上方に向けて起立した壁部を備えた建物の壁構造であって、
前記壁部は、当該壁部の壁面を形成する壁本体と、前記壁本体の上端部を覆う笠木とを有しており、
前記壁本体と前記笠木との間には、前記壁部の壁幅方向に交差する方向に向けて開放された笠木隙間が設けられており、
前記壁本体の外周部には、当該壁本体の内部空間である壁内空間と前記笠木隙間との通気を可能にする壁通気部が設けられており、
前記笠木隙間には、空気の流れを遮断し且つ前記壁幅方向に沿って延びた遮断部が設けられていることで、前記笠木隙間の開放部である隙間開放部と前記壁通気部との間の空気の流れを前記壁幅方向に交差する方向について遮断する一方で、前記空気の流れを前記壁幅方向について案内する案内通路が形成されていることを特徴とする建物の壁構造。
【請求項２】
前記遮断部を有していることで前記案内通路を形成する通路形成体を備え、
前記遮断部は、前記笠木隙間を前記壁通気部側と前記隙間開放部側とに仕切ることで、前記隙間開放部と前記壁通気部との並び方向において前記笠木の内周面に沿った空気の流れを遮断するものであり、
前記通路形成体においては、前記遮断部により仕切られた前記壁通気部側の空間が前記案内通路とされていることを特徴とする請求項１に記載の建物の壁構造。
【請求項３】
前記遮断部は、
前記隙間開放部と前記壁通気部との間に設けられた中間部と、
前記隙間開放部と前記壁通気部との並び方向において前記中間部から前記隙間開放部とは反対側に向けて延び、前記笠木側から前記壁通気部を覆っている覆い部と、
を有し、
前記通路形成体においては、前記中間部の前記壁通気部側において前記覆い部と前記壁本体との間に形成された空間が前記案内通路とされていることを特徴とする請求項２に記載の建物の壁構造。
【請求項４】
前記通路形成体においては、前記案内通路を前記壁幅方向に向けて開放する通路開放部が、前記壁幅方向において前記遮断部の両端側に設けられていることを特徴とする請求項２又は３に記載の建物の壁構造。
【請求項５】
前記隙間開放部は、前記壁部の壁厚み方向において前記壁本体の両側に一対として配置されており、
前記笠木隙間には、前記案内通路とは異なる非案内通路が設けられており、
前記非案内通路は、前記通路形成体の前記遮断部と前記笠木との間の空間を通じて、前記案内通路を介さずに一対の前記隙間開放部の間の通気を可能とするものであることを特徴とする請求項２乃至４のいずれか１項に記載の建物の壁構造。
【請求項６】
前記通路形成体は、前記壁本体の外周面に重ねられた重ね部を有しており、
前記通路形成体においては、前記重ね部と前記遮断部とで区画された空間が前記案内通路とされていることを特徴とする請求項２乃至５のいずれか１項に記載の建物の壁構造。
【請求項７】
前記通路形成体は、
前記重ね部から延びていることで前記壁通気部に入り込んでいる挿入部を有していることを特徴とする請求項６に記載の建物の壁構造。
【請求項８】
前記通路形成体は、
前記重ね部が延びる方向に沿って前記挿入部から延び、前記壁内空間側から前記壁本体の外周部に引っ掛かっている引っ掛け部を有していることを特徴とする請求項７に記載の建物の壁構造。
【請求項９】
前記案内通路は、前記壁部の壁高さ方向及び壁厚み方向の少なくとも一方に対して蛇行した状態で前記壁幅方向に沿って延びていることを特徴とする請求項１乃至８のいずれか１項に記載の建物の壁構造。
【発明の詳細な説明】
【技術分野】
【０００１】
本発明は、建物の壁構造に関する。
【背景技術】
【０００２】
住宅等の建物において、上端部に笠木が設けられたパラペット等の壁部が屋外に設置されていることがある。ここで、笠木を有する壁部については、壁本体と笠木との間の隙間を通じて壁内空間の通気を行う技術が提案されている。例えば、壁本体の上端部に通気孔が形成され、その通気孔を通じて壁内空間が壁本体と笠木との間の隙間に通気可能に連通された構成がある（例えば特許文献１参照）。
【０００３】
この構成では、壁本体の上端部が笠木の溝部内に入り込んだ状態になっており、壁本体の側面と笠木との間に水切部材が設けられている。水切部材は、空気が壁厚み方向に蛇行しながら上下方向に流れる構成になっている。この構成によれば、風が壁部の側面に沿って吹き上がった場合などにおいて、雨水等の水が空気と共に水切部材の内部に浸入したとしても、その水は、水切部材の内部を空気と共に蛇行しながら進むことで壁内空間に到達しにくくなっている。
【先行技術文献】
【特許文献】
【０００４】
【特許文献１】特開２０１２−１４９４８８号公報
【発明の概要】
【発明が解決しようとする課題】
【０００５】
ここで、壁本体と笠木との間の隙間において空気の流れを壁厚み方向や壁高さ方向に蛇行させる構成では、蛇行させる回数を多くするほど水の浸入規制の確実性を高めることができると考えられるが、壁厚み方向や壁高さ方向については空気の流れる距離が小さいため、蛇行回数を多くするほど水切部材の構成が複雑になる一方で、水の浸入規制の確実性が構成の複雑さほど向上しないと想定される。したがって、壁本体と笠木との間の隙間を通じて壁内空間の通気を行う構成においては、水の浸入規制に関して改善の余地がある。
【０００６】
本発明は、上記事情に鑑みてなされたものであり、笠木の下側に隙間が形成されている壁部において、その隙間を通じて壁内の通気を好適に行うことを主たる目的とするものである。
【課題を解決するための手段】
【０００７】
以下、上記課題を解決するのに有効な手段等につき、必要に応じて作用、効果等を示しつつ説明する。なお以下においては、理解の容易のため、発明の実施の形態において対応する構成を括弧書き等で適宜示すが、この括弧書き等で示した具体的構成に限定されるものではない。
【０００８】
第１の発明の建物の壁構造は、屋外において上方に向けて起立した壁部（パラペット１５）を備えた建物の壁構造であって、前記壁部は、当該壁部の壁面を形成する壁本体（パラペット本体１６）と、前記壁本体の上端部を覆う笠木（笠木１７）とを有しており、前記壁本体と前記笠木との間には、前記壁部の壁幅方向に交差する方向に向けて開放された笠木隙間（笠木隙間１８）が設けられており、前記壁本体の外周部には、当該壁本体の内部空間である壁内空間（壁内空間２１）と前記笠木隙間との通気を可能にする壁通気部（壁通気部４１）が設けられており、前記笠木隙間には、空気の流れを遮断し且つ前記壁幅方向に沿って延びた遮断部（側面部５１ａ、上面部５１ｂ）が設けられていることで、前記笠木隙間の開放部である隙間開放部（隙間開放部１８ａ）と前記壁通気部との間の空気の流れを前記壁幅方向に交差する方向について遮断する一方で、前記空気の流れを前記壁幅方向について案内する案内通路（規制通路５３）が形成されていることを特徴とする。
【０００９】
第１の発明によれば、笠木隙間においては、壁通気部と隙間開放部との間での空気の流れが、案内通路により壁幅方向について案内される一方で、壁厚み方向や壁高さ方向については遮断されるため、風が壁部の側面に沿って吹き上がった場合などにおいて、雨水等の水が屋外から笠木隙間に空気と共に流れ込んだとしても、その水は、空気と共に壁幅方向に沿って流れている間に案内通路の内周面に付着する可能性が高くなっている。このため、水が屋外から笠木隙間を通じて壁内空間に浸入することを抑制できる。
【００１０】
しかも、壁本体と笠木との間の隙間という限られたスペースにおいて、案内通路が壁幅方向に延びているため、案内通路が壁厚み方向や壁高さ方向に延びている構成に比べて、案内通路の長さ寸法を大きく設定することが可能である。ここで、案内通路の長さ寸法が大きいほど、案内通路内を空気と共に流れる水は案内通路の内周面に付着しやすくなるため、案内通路から壁内空間への水の浸入をより確実に抑制することができる。
【００１１】
以上により、笠木隙間を通じて壁内空間の通気を好適に行うことができる。
【００１２】
第２の発明では、第１の発明において、前記遮断部を有していることで前記案内通路を形成する通路形成体（流れ規制体５１）を備え、前記遮断部は、前記笠木隙間を前記壁通気部側と前記隙間開放部側とに仕切ることで、前記隙間開放部と前記壁通気部との並び方向において前記笠木の内周面に沿った空気の流れを遮断するものであり、前記通路形成体においては、前記遮断部により仕切られた前記壁通気部側の空間が前記案内通路とされている。
【００１３】
第２の発明によれば、通路形成体の遮断部が笠木隙間に設けられているため、壁幅方向について空気の流れを案内し、且つ壁厚み方向や壁高さ方向について空気の流れを遮断する構成を、笠木隙間において実現することができる。しかも、案内通路が通路形成体により形成されているため、壁本体や笠木に対して通路形成体を取り付けるという容易な作業により、案内通路を笠木隙間という狭小スペースにおいて構築することができる。これにより、案内通路を構築する際の作業負担を低減することができる。
【００１４】
第３の発明では、第２の発明において、前記遮断部は、前記隙間開放部と前記壁通気部との間に設けられた中間部（側面部５１ａ）と、前記隙間開放部と前記壁通気部との並び方向において前記中間部から前記隙間開放部とは反対側に向けて延び、前記笠木側から前記壁通気部を覆っている覆い部（上面部５１ｂ）と、を有し、前記通路形成体においては、前記中間部の前記壁通気部側において前記覆い部と前記壁本体との間に形成された空間が前記案内通路とされている。
【００１５】
第３の発明によれば、遮断部が覆い部を有しているため、遮断部が壁本体と笠木とに掛け渡された状態になっていなくても、壁通気部と隙間開放部との並び方向において空気や水が笠木側から遮断部（中間部）を乗り越えて壁通気部に流れ込むということが生じにくくなっている。また、この場合、通路形成体が笠木から離間した状態で壁本体だけに固定されていても、遮断部による水の浸入規制を実現することができるため、笠木や壁本体の仕様に合わせて専用の通路形成体を製造するのではなく、通路形成体を汎用化することが可能となる。これにより、通路形成体の製造に関してコスト負担を低減することができる。
【００１６】
第４の発明では、第２又は第３の発明において、前記通路形成体においては、前記案内通路を前記壁幅方向に向けて開放する通路開放部（通路開放部５４）が、前記壁幅方向において前記遮断部の両端側に設けられている。
【００１７】
第４の発明によれば、壁通路部に対して壁幅方向の両方に空気が流れることが可能になっているため、壁厚み方向や壁高さ方向について空気の流れが規制されていても、案内通路を壁幅方向に沿って空気が流れやすくなる。このため、案内通路における通気量が不足するということを回避できる。
【００１８】
第５の発明では、第２乃至第４のいずれかの発明において、前記隙間開放部は、前記壁部の壁厚み方向において前記壁本体の両側に一対として配置されており、前記笠木隙間には、前記案内通路とは異なる非案内通路（非規制通路５５）が設けられており、前記非案内通路は、前記通路形成体の前記遮断部と前記笠木との間の空間を通じて、前記案内通路を介さずに一対の前記隙間開放部の間の通気を可能とするものである。
【００１９】
第５の発明によれば、一対の隙間開放部の間の通気は非案内通路を通じて行われるため、外気が笠木隙間を通り抜けやすくなっている。このため、空気と共に水が笠木隙間内に浸入したとしても、案内通路に加えて非案内通路の通気が行われることで、笠木隙間内の乾燥を促すことができる。
【００２０】
第６の発明では、第２乃至第５のいずれかの発明において、前記通路形成体は、前記壁本体の外周面に重ねられた重ね部（下面部５１ｃ）を有しており、前記通路形成体においては、前記重ね部と前記遮断部とで区画された空間が前記案内通路とされている。
【００２１】
第６の発明によれば、通路形成体においては、重ね部と遮断部との間に案内通路が形成されているため、例えば壁本体の外周面と遮断部との間に案内通路が形成された構成とは異なり、壁本体の外周面が平坦面になっていなくても、壁厚み方向や壁高さ方向についての空気の流れを遮断部により確実に遮断することができる。
【００２２】
なお、重ね部には、壁通気部に連通する連通孔が形成されていることが好ましい。この場合、通路形成体において遮断部と連通孔との位置関係が設定されていることになるため、これら遮断部と連通孔とを壁本体や笠木の仕様などに関係なく適正な位置関係に配置することができる。
【００２３】
第７の発明では、第６の発明において、前記通路形成体は、前記重ね部から延びていることで前記壁通気部に入り込んでいる挿入部（挿入部６１）を有している。
【００２４】
第７の発明によれば、挿入部を壁通気部に挿し込みながら重ね部を壁本体の外周面に重ねるという容易な作業により、通路形成体を壁本体に対して位置合わせすることができる。このため、通路形成体を壁本体に取り付ける際の作業負担を低減することができる。
【００２５】
第８の発明では、第７の発明において、前記通路形成体は、前記重ね部が延びる方向に沿って前記挿入部から延び、前記壁内空間側から前記壁本体の外周部に引っ掛かっている引っ掛け部（引っ掛け部６２）を有している。
【００２６】
第８の発明によれば、挿入部を引っ掛け部ごと壁通気部に押し込むという容易な作業により、通路形成体を壁本体に対して固定することができる。
【００２７】
第９の発明では、第１乃至第８のいずれかの発明において、前記案内通路は、前記壁部の壁高さ方向及び壁厚み方向の少なくとも一方に対して蛇行した状態で前記壁幅方向に沿って延びている。
【００２８】
第９の発明によれば、案内通路においては、壁幅方向に沿って流れる空気が蛇行することになるため、この空気と共に流れる水が案内通路の内周面により一層付着しやすくなる。このため、案内通路において、壁内空間への水浸入の抑制効果をより一層高めることができる。
【図面の簡単な説明】
【００２９】
【図１】建物の平面図
【図２】図１のＡ−Ａ線断面図
【図３】図１のＢ−Ｂ線断面図
【図４】図１のＣ−Ｃ線断面図
【図５】パラペット内の空気の流れを説明するための図
【図６】流れ規制体の構成を示す斜視図
【図７】別の流れ規制体の分解斜視図
【発明を実施するための形態】
【００３０】
以下に、本発明を具体化した一実施形態について図面を参照しつつ説明する。本実施形態では、本発明の壁構造を建物の屋根において具体化している。図１は、建物１０の平面図である。
【００３１】
図１において、建物１０は、建物本体の上に設けられた屋根１２を有している。屋根１２は、陸屋根（フラットルーフ）とされており、その屋根面１２ａは所定の水勾配を有している。
【００３２】
なお、屋根１２は、建物躯体により支持された屋根下地と、その屋根下地の上に設けられた屋根面材とを有している。屋根下地は、屋根小梁等の上に設置された野地板と、その野地板の上に設置された断熱材とを有しており、屋根面材は、断熱材の上に重ねられている。屋根面材は、耐水皮膜が施されたシート材や鋼材等の防水部材であり、その上面が屋根面１２ａを形成している。この場合、屋根面１２ａは、防水性を有する防水面に相当する。また、屋根１２は、人の出入りが可能な屋上を構成していてもよい。
【００３３】
屋根１２は、その屋根１２の周縁部に沿って延びているパラペット１５を有している。パラペット１５は、屋根面１２ａから上方に向けて起立した低い手摺壁である。建物１０においては、建物本体の外壁が屋根面１２ａよりも上方に向けて突出しており、その突出部分がパラペット１５を形成している。屋根面１２ａは、パラペット１５により囲まれた領域に配置された状態になっている。
【００３４】
パラペット１５の構成について図２〜図４を参照しつつ説明する。図２は図１のＡ−Ａ線断面図、図３は図１のＢ−Ｂ線断面図、図４は図１のＣ−Ｃ線断面図である。
【００３５】
図２、図３に示すように、パラペット１５は、そのパラペット１５の側面を形成するパラペット本体１６と、パラペット本体１６の上に設けられた笠木１７とを有している。パラペット本体１６及び笠木１７は、いずれもパラペット１５の幅方向（壁幅方向）に沿って延びている。パラペット本体１６と笠木１７との間には隙間が形成されており、この隙間が笠木隙間１８となっている。笠木隙間１８は、壁幅方向に沿って延びている。なお、パラペット１５が壁部に相当し、パラペット本体１６が壁部本体に相当する。
【００３６】
パラペット本体１６においては、その内部空間が壁内空間２１とされている。パラペット１５は、建物躯体に対して固定された本体下地２２と、本体下地２２を挟んで設けられた一対の外装材２３，２４とを有している。本体下地２２は、複数のフレーム材を有する下地フレーム２５と、その下地フレーム２５の屋根内周側に配置された下地板２６とを有している。下地板２６は、外装材２３，２４のうち屋根内周側に配置された内側外装材２４に重ねられている一方で、屋根外周側に配置された外側外装材２３からは離間しており、壁内空間２１は、外側外装材２３と下地板２６との間に形成されている。この場合、下地フレーム２５は、壁内空間２１に配置されていることになる。
【００３７】
下地フレーム２５は、その下地フレーム２５の上端を形成する上端フレーム材２５ａを有している。上端フレーム材２５ａは、断面コ字状の軽量溝形鋼により形成されており、その溝部を下方に向けて壁幅方向に沿って延びた横フレーム材とされている。この場合、上端フレーム材２５ａの上面（ウェブの外側面）が下地フレーム２５の上端面を形成している。
【００３８】
なお、外壁においてパラペット１５の下方部分（屋内空間を区画する部分）は、パラペット１５と同様に、下地フレーム２５、外側外装材２３及び壁内空間２１を有している一方で、下地板２６や内側外装材２４に代えて、下地フレーム２５に取り付けられた内装材や断熱材を有しており、壁内空間２１は、外側外装材２３と内装材（断熱材）との間に形成されている。壁内空間２１は、壁方さ方向において外壁のほぼ全体に延びており、外壁には、壁内空間２１の換気を行う換気口が設けられている。換気口は、外壁の上端部及び下端部のそれぞれに配置されており、上端部の換気口及び下端部の換気口のうち一方から壁内空間２１に流れ込んだ外気が、他方を通じて屋外に流れ出すことで、壁内空間２１の換気が行われる。
【００３９】
下地板２６は、合板等により形成されており、下地フレーム２５の側面にビス等により固定されている。下地板２６の上端面は、下地フレーム２５の上端面とほぼ同じ高さに配置されている。
【００４０】
外側外装材２３は、サイディングボード等の外壁面材であり、下地フレーム２５の屋根外周側の面にビス等により固定されている。内側外装材２４は、鋼材に耐水皮膜が付与された防水板であり、下地板２６に重ねられた状態でその下地板２６に接着剤等により接合されている。外装材２３，２４の上端面は、下地フレーム２５の上端面とほぼ同じ高さに配置されている。
【００４１】
パラペット本体１６は、下地フレーム２５、下地板２６、外装材２３，２４の各上端面を上方から覆う防水シート２７を有している。防水シート２７は、耐水性を有する材料により形成され、柔軟性を有している。パラペット１５の厚み方向（壁厚み方向）において、防水シート２７の一端側は外側外装材２３の仕上面に重ねられ、他端側は内側外装材２４の仕上面に重ねられている。この場合、防水シート２７の上面がパラペット本体１６の上端面を形成していることになる。
【００４２】
笠木１７は、合成樹脂材料や金属材料などにより縦断面略コ字状に形成されており、下方に向けて開放された溝部を有している。笠木１７は、その笠木１７の上面を形成する上面部１７ａと、側面を形成する側面部１７ｂ，１７ｃとを有している。上面部１７ａは、パラペット本体１６から上方に離間した位置に配置されており、パラペット本体１６の上端面に対向している。側面部１７ｂ，１７ｃは、上面部１７ａから下方に向けて延びており、側面部１７ｂ，１７ｃの各下端部は、パラペット本体１６の上端面より低い位置に配置されている。この場合、側面部１７ｂ，１７ｃは、パラペット本体１６の側面に向かい合っている。側面部１７ｂ，１７ｃの離間距離は、パラペット本体１６の厚み寸法より大きくされており、側面部１７ｂ，１７ｃは、壁厚み方向においてパラペット本体１６から離間した位置に配置されている。
【００４３】
笠木隙間１８は、パラペット本体１６の外周面と笠木１７の内周面との間に形成されており、笠木１７の内周面に沿って延びている。笠木隙間１８は、壁厚み方向においてその笠木隙間１８をパラペット１５の側方に向けて開放する隙間開放部１８ａを有している。隙間開放部１８ａは、パラペット１５の屋根外周側及び屋根内周側のそれぞれに一対として配置されており、いずれもパラペット本体１６の上端より低い位置にそれぞれ配置されている。一対の隙間開放部１８ａのうち、屋根外周側の隙間開放部１８ａは、パラペット本体１６の外側外装材２３と笠木１７の外側側面部１７ｂとの間に配置され、屋根内周側の隙間開放部１８ａは、パラペット本体１６の内側外装材２４と笠木１７の外側側面部１７ｂとの間に配置されている。
【００４４】
笠木１７の上面（上面部１７ａ）は、屋根外周側の端部が上端となり、屋根内周側の端部が下端となる向きで傾斜している。この場合、側面部１７ｂ，１７ｃのうち、屋根外周側に配置された外側側面部１７ｂの上端部は、屋根内周側に配置された内側側面部１７ｃの上端部より高い位置に配置されている。このため、笠木１７の上面に雨水等の水が付着した場合には、その水が笠木１７の上面に沿って屋根内周側に流れ落ちることになる。
【００４５】
笠木１７は、笠木ホルダ３１によりパラペット本体１６に対して固定されている。図２に示すように、笠木ホルダ３１は、パラペット本体１６の上端面に重ねられた状態で固定された固定部３２と、笠木１７の上面部１７ａを下方から支える支え部３３と、笠木１７に引っ掛かっている係止部３４とを有している。笠木ホルダ３１は、合成樹脂材料や金属材料などにより板状に形成されており、固定部３２、支え部３３及び係止部３４はそれぞれ板部とされている。
【００４６】
固定部３２は、防水シート２７を挟んで上端フレーム材２５ａの上面に重ねられており、ビス等の固定具３５が固定部３２及び防水シート２７を貫通して上端フレーム材２５ａのウェブに打ち込まれていることで、その上端フレーム材２５ａに固定されている。固定部３２には、固定具３５が挿通された固定孔３２ａが形成されている。固定孔３２ａは、壁厚み方向に沿って延びた長孔とされており、壁幅方向に沿って複数並べられている。
【００４７】
支え部３３は、固定部３２から上方に向けて延びており、笠木１７の上面部１７ａの下面に当接した状態で笠木１７を支持している。支え部３３は、壁厚み方向に沿って一対設けられており、一方の支え部３３は固定部３２の一端から延びており、他方の支え部３３は固定部３２の他方から延びている。この場合、一対の支え部３３により、笠木１７の屋根外周側及び屋根内周側のそれぞれが支持されていることになる。
【００４８】
係止部３４は、支え部３３と同様に、壁厚み方向に沿って一対設けられており、各係止部３４は、それぞれ別の支え部３３から延びている。一対の係止部３４のうち、屋根外周側に向けて延びた係止部３４は、笠木１７の外側側面部１７ｂに引っ掛かっており、屋根内周側に向けて延びた係止部３４は、外側側面部１７ｂに引っ掛かっている。笠木１７は、側面部１７ｂ，１７ｃから溝部内側に向けてそれぞれ延びた被係止部３６を有しており、パラペット本体１６から離間した位置に配置されているにもかかわらず、各係止部３４がそれぞれ被係止部３６に引っ掛かっていることで、そのパラペット本体１６に対して位置保持されている。
【００４９】
被係止部３６は、係止部３４の下端面に引っ掛かっている。この場合、笠木１７が笠木ホルダ３１に対して上方から装着された構成において、笠木１７の被係止部３６が笠木ホルダ３１の係止部３４に下方から引っ掛かっているため、笠木１７が笠木ホルダ３１から上方に離間することが規制されている。つまり、笠木１７がパラペット本体１６から上方に離間することが規制されている。
【００５０】
笠木ホルダ３１においては、係止部３４が弾性変形可能になっている。このため、笠木ホルダ３１をパラペット本体１６に固定した後、笠木１７を笠木ホルダ３１に装着する場合に、係止部３４がパラペット本体１６に近付く側に弾性変形することで、笠木１７の被係止部３６が笠木ホルダ３１の係止部３４の下側に移動しやすくなる。
【００５１】
笠木１７が笠木ホルダ３１を介してパラペット本体１６に固定されている構成では、パラペット本体１６の厚み寸法が許容範囲内の大きさ（笠木ホルダ３１の一対の係止部３４の間にパラペット本体１６が入り込むことが可能な大きさ）であれば、パラペット本体１６の厚み寸法に関係なく笠木１７をパラペット本体１６に装着することが可能になっている。
【００５２】
笠木１７は、笠木隙間１８内への視線を遮る目隠し部３７を有している。目隠し部３７は、各隙間開放部１８ａのそれぞれに対して設けられており、側面部１７ｂ，１７ｃからパラペット本体１６の側面に向けて延びている。目隠し部３７は、被係止部３６の下方に配置されており、係止部３４が被係止部３６に引っ掛かっている部分が、笠木１７の下方からでは目視しにくくなっている。
【００５３】
図３、図４に示すように、パラペット本体１６には、壁内空間２１と笠木隙間１８とを通気可能に連通する壁通気部４１が形成されており、笠木隙間１８及び壁通気部４１を通じて壁内空間２１への外気の流入及び流出が可能になっている。この場合、パラペット１５を含む外壁においては、上述した上端部の換気口が隙間開放部１８ａにより形成されていることになる。
【００５４】
壁通気部４１は、パラペット本体１６の上面部を上下に貫通する貫通孔とされている。パラペット本体１６の上面部においては、壁通気部４１が上端フレーム材２５ａのウェブ及び防水シート２７を貫通しており、壁内空間２１を上方に向けて開放している。壁通気部４１は、壁厚み方向においてパラペット１５のほぼ中央に配置されている。この場合、壁通気部４１は、笠木１７の内周面に沿って一対の隙間開放部１８ａが並ぶ方向において、これら隙間開放部１８ａのほぼ真ん中に配置されており、壁内空間２１の通気に際して空気の流れやすさは各隙間開放部１８ａで同じ程度になっている。
【００５５】
パラペット１５には、笠木隙間１８における空気の流れを規制する流れ規制体５１が設けられている。流れ規制体５１は、笠木隙間１８に配置されており、壁通気部４１に流れ込む又は壁通気部４１から流れ出る空気を壁幅方向に案内することが可能になっている。流れ規制体５１は、金属材料や合成樹脂材料などにより偏平箱状に形成されており、パラペット本体１６の上端面に重ねられた状態で壁幅方向に沿って延びている。流れ規制体５１の内部空間は、笠木隙間１８内の空気が流れる規制通路５３になっている。流れ規制体５１は、規制通路５３を壁幅方向に向けて開放する通路開放部５４を有しており、通路開放部５４は、壁幅方向において流れ規制体５１の両端に配置されている。
【００５６】
笠木隙間１８には、流れ規制体５１の外周部により囲まれた規制通路５３に加えて、流れ規制体５１の外周部により囲まれていない非規制通路５５が含まれている。非規制通路５５は、流れ規制体５１の外側に配置された空間になっている。非規制通路５５においては、パラペット本体１６の外周面及び笠木１７の内周面により空気の流れる向きが規制されている他は、壁幅方向はもちろんのこと壁厚み方向及び壁高さ方向のいずれについても空気の流れる向きは規制されていない。つまり、壁幅方向に沿って空気が流れるように案内されるようにはなっていない。
【００５７】
流れ規制体５１の高さ寸法は、パラペット本体１６の上端面と笠木１７の上面部１７ａとの離間距離より小さくなっており、非規制通路５５は、流れ規制体５１と笠木１７との間にも入り込んだ状態で形成されている。また、流れ規制体５１は、壁幅方向に沿って所定間隔で複数設けられている。この場合、非規制通路５５は、隣り合う流れ規制体５１の間にも形成されていることになる。
【００５８】
流れ規制体５１は、笠木ホルダ３１に対して壁幅方向に沿って横並びに配置されている（図１参照）。ここで、笠木ホルダ３１は、流れ規制体５１と同様に、パラペット１５の幅方向に沿って所定間隔で複数設けられており、流れ規制体５１は、隣り合う笠木ホルダ３１の間に配置されている。このため、笠木ホルダ３１と流れ規制体５１とがパラペット１５の高さ方向や厚み方向に重ねて配置された構成とは異なり、笠木ホルダ３１及び流れ規制体５１のいずれを先にパラペット本体１６に取り付けた場合でも、もう片方をパラペット本体１６に取り付けることが可能になっている。
【００５９】
流れ規制体５１は、一対の側面部５１ａ、上面部５１ｂ、下面部５１ｃ、一対の端面部５１ｄを外周部として有しており、側面部５１ａ、上面部５１ｂ及び下面部５１ｃが壁幅方向に沿って延び、端面部５１ｄが壁厚み方向に沿って延びる向きで配置されている。流れ規制体５１において、通路開放部５４は、各端面部５１ｄのそれぞれに開口部として形成されている。流れ規制体５１においては、側面部５１ａ等の外周部の内側に規制通路５３が形成されており、規制通路５３は、側面部５１ａ、上面部５１ｂ及び下面部５１ｃに沿って壁幅方向に沿って延びている。
【００６０】
流れ規制体５１は、壁通気部４１の上に設置されている。この場合、流れ規制体５１においては、下面部５１ｃがパラペット本体１６の上端面に重ねられており、その下面部５１ｃには壁通気部４１に通じる下面孔５７が形成されている。この場合、規制通路５３と壁内空間２１とは、下面孔５７及び壁通気部４１を通じて通気可能に連通されている。
【００６１】
流れ規制体５１においては、規制通路５３での空気の流れが、壁幅方向に交差する方向（壁幅方向及び壁厚み方向）について一対の側面部５１ａ、上面部５１ｂ及び下面部５１ｃにより遮断されている一方で、壁幅方向については、端面部５１ｄに通路開放部５４が形成されていることで遮断されないようになっている。
【００６２】
流れ規制体５１においては、側面部５１ａが、隙間開放部１８ａと壁通気部４１との間に配置されており、中間部に相当する。また、上面部５１ｂが、パラペット本体１６の上端面から上方に離間した位置において壁通気部４１を覆っており、覆い部に相当する。側面部５１ａ及び上面部５１ｂは、隙間開放部１８ａと壁通気部４１との並び方向において笠木１７の内周面に沿った空気の流れを遮断しており、遮断部を構成している。本実施形態では、上面部５１ｂは、一対の側面部５１ａを連結した状態になっており、一方の側面部５１ａから他方の側面部５１ａに向けて延びていることになる。この場合、上面部５１ｂは、屋根外周側の側面部５１ａから屋根外周側の隙間開放部１８ａとは反対側に向けて延び、且つ屋根内周側の側面部５１ａから屋根内周側の隙間開放部１８ａとは反対側に向けて延びているといえる。
【００６３】
なお、流れ規制体５１の規制通路５３は、空気の流れを壁幅方向に沿って案内する案内通路に相当し、非規制通路５５は、案内通路ではない非案内通路に相当する。また、流れ規制体５１は、案内通路を形成する通路形成体に相当する。
【００６４】
流れ規制体５１においては、下面部５１ｃがパラペット本体１６の上端面に重ねられており、重ね部に相当する。流れ規制体５１は、壁通気部４１内に挿入された挿入部６１と、パラペット１５の上端部に引っ掛けられた引っ掛け部６２とを有している。挿入部６１は、下面部５１ｃから下方に向けて延びており、引っ掛け部６２は、挿入部６１における壁内空間２１に入り込んだ部分に設けられている。挿入部６１は、上下方向に延びる円筒状に形成されており、下面孔５７の周縁部に沿って延びている。この場合、下面孔５７は、挿入部６１の筒内空間を通じて壁内空間に連通されている。引っ掛け部６２は、挿入部６１から円筒外周側に向けて突出しており、円筒周方向に沿って延びている。この場合、挿入部６１は、パラペット本体１６の上端フレーム材２５ａのウェブの下面に引っ掛かっており、流れ規制体５１がパラペット本体１６から上方に離間することを規制している。また、流れ規制体５１とパラペット本体１６とは、引っ掛け部６２と上端フレーム材２５ａとの引っ掛かり部分が接着剤等により接合されることで固定されている。
【００６５】
規制通路５３は、壁幅方向において上下に蛇行した形状になっている。流れ規制体５１は、上面部５１ｂから下方に向けて延びた上側リブ６５と、下面部５１ｃから上方に向けて延びた下側リブ６６とを有している。リブ６５，６６は、いずれも壁厚み方向に沿って延びており、壁幅方向（通路開放部５４の並び方向）に沿って複数配置されている。上側リブ６５は下面部５１ｃから上方に離間し、下側リブ６６は上面部５１ｂから下方に離間している。ここで、上面部５１ｂからの上側リブ６５の延出寸法、及び下面部５１ｃからの下側リブ６６の延出寸法は、いずれも上面部５１ｂと下面部５１ｃとの離間距離の半分よりも大きくなっており、上側リブ６５と下側リブ６６とは、壁幅方向において重ならない位置に配置されている。この場合、上側リブ６５と下側リブ６６とは互い違いに配置されていることになり、それによって、規制通路５３は壁高さ方向に蛇行している。
【００６６】
流れ規制体５１の端面部５１ｄにおいて、通路開放部５４は上面部５１ｂから下方に向けて延びており、下面部５１ｃからは上方に離間している。この場合、端面部５１ｄは、下側リブ６６と同様に、下面部５１ｃから上方に向けて延び、上面部５１ｂから下方に離間している。壁幅方向において、端面部５１ｄと下側リブ６６との間には上側リブ６５が配置されており、規制通路５３は、リブ６５，６６に加えて端面部５１ｄによっても蛇行した形状にされている。
【００６７】
流れ規制体５１は、下面部５１ｃから上方に向けて突出し、下面孔５７の周縁部に沿って延びている孔縁部６７を有している。孔縁部６７は、下面部５１ｃを挟んで挿入部６１の上方位置に配置されており、挿入部６１と同様に、上下方向に延びる円筒状に形成されている。
【００６８】
次に、パラペット１５内の空気の流れについて図２〜図５を参照しつつ説明する。図５はパラペット１５内の空気の流れを説明するための図である。なお、図５は、パラペット１５の平面図において、そのパラペット１５の内部構造を示すために笠木１７を仮想線で示した図である。
【００６９】
パラペット１５を有する外壁において、下端部の換気口から壁内空間２１に空気が流れ込んだ場合、図４、図５に示すように、壁内空間２１内の空気Ａ１は、壁通気部４１を通じて規制通路５３（流れ規制体５１内）に流れ込み、規制通路５３に沿って壁幅方向に流れて通路開放部５４から非規制通路５５に流れ出した後、笠木１７の内周面に沿って壁厚み方向や壁高さ方向に流れることで隙間開放部１８ａから屋外に流れ出す。
【００７０】
隙間開放部１８ａから壁内空間２１に外気が流れ込む場合、この外気は、空気Ａ１とは逆に流れる。この場合、雨水等の水が外気と共に隙間開放部１８ａから規制通路５３内に流れ込んだとしても、外気が規制通路５３内を壁幅方向に沿ってリブ６５，６６の間を蛇行しながら流れることで、水がリブ６５，６６の側面に引っ掛かって付着したり、上面部５１ｂや下面部５１ｃの内周面に付着したりしやすくなっている。このため、水が屋外から壁通気部４１を通じて壁内空間２１に浸入することが抑制されている。
【００７１】
一方、一対の隙間開放部１８ａのうち一方の隙間開放部１８ａから笠木隙間１８内に流れ込み、規制通路５３を通らずに非規制通路５５を通って他方の隙間開放部１８ａから屋外に流れ出す空気としては、図３、図５に示すように、流れ規制体５１と笠木１７との間の隙間を流れる空気Ａ２と、図２、図５に示すように、壁幅方向において流れ規制体５１の側方を流れる空気Ａ３とが挙げられる。これら空気Ａ２，Ａ３のいずれも、笠木隙間１８内に入り込んだ水や溜まった湿気などを屋外に排出することや、笠木隙間１８内に入り込んだ水を乾燥させることを促す促進効果を有している。
【００７２】
また、流れ規制体５１と笠木１７との間にも非規制通路５５が形成されているため、流れ規制体５１と笠木１７との間に非規制通路５５が形成されていない構成に比べて、非規制通路５５を流れて笠木隙間１８を通過する外気量を増加させることができる。
【００７３】
続いて、流れ規制体５１の製造手順について、図６を参照しつつ簡単に説明する。図６は、流れ規制体５１の構成を示す斜視図である。なお、図６は、流れ規制体５１を開いた状態の図である。
【００７４】
図６に示すように、流れ規制体５１は、一体成型された成型部材を折り畳んで組み立てることで形成されている。成型部材は、全体として板状に形成されている。成型部材は、一対の側面部５１ａのうち一方の側面部５１ａ、上面部５１ｂ及び下面部５１ｃを形成する１つの板部を有している。その板部の一方の板面からは、他方の側面部５１ａ、一対の端面部５１ｄ、上側リブ６５、下側リブ６６及び孔縁部６７を形成する突起部が突起しており、他方の板面からは、孔縁部６７を形成する突起部が突起している。成型部材について、側面部５１ａを形成する突起部等が突起した方の板面が内側になるように板部を折り曲げることで、一方の側面部５１ａ、上面部５１ｂ及び下面部５１ｃを形成し、他方の側面部５１ａの上端部を上面部５１ｂに接着剤等により接合する。
【００７５】
以上、詳述した本実施形態の構成によれば、以下の優れた効果が得られる。
【００７６】
笠木隙間１８の規制通路５３においては、空気の流れが壁幅方向に沿って案内される一方で、壁厚み方向及び壁高さ方向について遮断されるため、雨水等の水が屋外から笠木隙間１８に空気と共に流れ込んだとしても、その水は、壁幅方向に沿って流れている間に規制通路５３の内周面に付着する可能性が高くなっている。しかも、笠木隙間１８という限られたスペースにおいて、規制通路５３が壁幅方向に沿って延びているため、規制通路５３が壁厚み方向や壁高さ方向に延びている構成に比べて、規制通路５３の長さ寸法を大きく確保することができる。ここで、規制通路５３の長さ寸法が大きいほど、規制通路５３内を空気と共に流れる水は規制通路５３の内周面に付着しやすくなるため、規制通路５３から壁内空間２１への水の浸入をより確実に抑制できる。以上により、笠木隙間１８を通じて壁内空間２１の通気を好適に行うことができる。
【００７７】
規制通路５３が流れ規制体５１により形成されているため、パラペット本体１６に流れ規制体５１を取り付けるという容易な作業により、規制通路５３を笠木隙間１８という狭小スペースにおいて構築することができる。これにより、規制通路５３を構築する際の作業負担を低減することができる。
【００７８】
流れ規制体５１が側面部５１ａ及び上面部５１ｂを有しているため、笠木１７の内周面を利用しなくても規制通路５３を形成することができる。このため、流れ規制体５１は、パラペット本体１６に取り付けられていれば、笠木１７に固定されていなくてもよく、流れ規制体５１を笠木１７から離間した位置に設置することができる。この場合、流れ規制体５１がパラペット本体１６と笠木１７との両方に取り付けられた構成とは異なり、笠木１７やパラペット本体１６の仕様に合わせて専用の流れ規制体５１を製造するのではなく、流れ規制体５１を汎用化することが可能となる。これにより、流れ規制体５１の製造に関してコスト負担を低減できる。
【００７９】
流れ規制体５１においては、規制通路５３が壁幅方向の両方に向けて開放されているため、壁厚み方向や壁幅方向について空気の流れを遮断していても、規制通路５３での通気量が不足するということを回避できる。
【００８０】
笠木隙間１８においては、壁厚み方向においてパラペット本体１６の両側方に隙間開放部１８ａが形成されているため、流れ規制体５１の上方や側方に形成された非規制通路５５を外気が流れることで、外気が規制通路５３を流れなくても笠木隙間１８内の換気を行うことができる。この場合、壁内空間２１の通気とは別の経路（非規制通路５５）を利用して、笠木隙間１８内の乾燥を促すことができる。
【００８１】
流れ規制体５１の下面部５１ｃがパラペット本体１６の上端面に重ねられているため、流れ規制体５１をパラペット本体１６に対して安定した状態で固定することが容易になる。また、下面部５１ｃが規制通路５３を区画しているため、側面部５１ａがパラペット本体１６の上端面の上に直接載せられた構成とは異なり、仮にパラペット本体１６の上端面が平坦面になっていなくても、側面部５１ａとパラペット本体１６との間に隙間が形成されてしまうということを回避できる。
【００８２】
［他の実施形態］
本発明は上記実施形態の記載内容に限定されず、例えば次のように実施されてもよい。
【００８３】
（１）上記実施形態では、流れ規制体５１において壁幅方向の両端に通路開放部５４が設けられていたが、通路開放部５４は、流れ規制体５１の一端にだけ設けられていてもよい。この場合でも、流れ規制体５１の規制通路５３においては、壁通気部４１を空気が流れることで壁幅方向に沿った通気が行われることになる。
【００８４】
（２）上記実施形態では、流れ規制体５１が箱形状とされていたが、流れ規制体５１は、規制通路５３を形成する通路形成体であればどのような形状とされていてもよい。例えば、流れ規制体５１が、下面部５１ｃを有しておらず、下方に向けて開放された断面コ字状とされた構成とする。この構成でも、流れ規制体５１が壁通気部４１を上方から覆う状態でパラペット本体１６の上端面に取り付けられることで、流れ規制体５１とパラペット本体１６の上端面との間に規制通路５３が形成される。
【００８５】
また、笠木隙間１８において隙間開放部１８ａが壁厚み方向の一方にだけ設けられている構成では、隙間開放部１８ａがない側には、流れ規制体５１において側面部５１ａが設けられていなくてもよい。この場合でも、隙間開放部１８ａがある側に設けられた側面部５１ａと上面部５１ｂが、壁通気部４１と隙間開放部１８ａとの間の空気の流れを壁厚み方向及び壁高さ方向について遮断する遮断部としての役割を果たすことになる。
【００８６】
さらに、流れ規制体５１の側面部５１ａがパラペット本体１６と笠木１７とに掛け渡された状態で設けられていてもよい。この場合、流れ規制体５１が上面部５１ｂを有していなくても、側面部５１ａが、壁通気部４１と隙間開放部１８ａとの間の空気の流れを壁厚み方向及び壁高さ方向について遮断する遮断部としての役割を果たすことになる。なお、この場合、側面部５１ａがパラペット本体１６の上端面と笠木１７の上面部１７ａとのそれぞれに、通気遮断が可能な状態で当接していることが好ましく、この状態であれば、流れ規制体５１は笠木１７に取り付けられていてもよい。
【００８７】
（３）上記実施形態では、流れ規制体５１がパラペット本体１６の上端面と笠木１７の上面部１７ａとの間に配置されていたが、流れ規制体５１は、パラペット本体１６の側面と笠木１７の側面部１７ｂ，１７ｃとの間に配置されていてもよい。例えば、流れ規制体５１がパラペット本体１６の内側外装材２４と笠木１７の内側側面部１７ｃとの間に配置され、壁通気部４１が貫通孔として内側外装材２４を貫通した構成とする。この構成でも、笠木隙間１８において規制通路５３では壁幅方向に沿って空気が流れるため、屋外から笠木隙間１８を通じて壁通気部４１に水が浸入することを抑制できる。
【００８８】
（４）上記実施形態では、流れ規制体５１がリブ６５，６６を有していたが、流れ規制体５１においては、空気の流れを許容する一方で水の浸入を規制する規制部が規制通路５３内に設けられていればよい。例えば、壁幅方向に沿って延びる多数の微小孔を有する多孔質体が、規制部として規制通路５３内に設けられた構成とする。この構成において、多孔質体は、規制通路５３を塞いだ状態で壁通気部４１と通路開放部５４との間に設けられている。この場合、空気と共に水が規制通路５３内に流れ込んだとしても、空気は多孔質体の微小孔を通じて壁通気部４１に向けて流れる一方で、水は多孔質体の微小孔に引っ掛かって壁通気部４１には到達しにくくなっている。
【００８９】
（５）上記実施形態では、一体成型された成型部材が折り畳まれることで流れ規制体５１が形成されていたが、流れ規制体５１は、複数の部材を組み合わせることで形成されていてもよい。例えば、図７に示すように、流れ規制体５１の上面部５１ｂを有する第１部材７１と、下面部５１ｃを有する第２部材７２とを組み合わせることで流れ規制体５１が形成された構成とする。この構成では、第１部材７１が、上面部５１ｂに加えて、一対の側面部５１ａ及び上側リブ６５を有しており、第２部材７２が、下面部５１ｃに加えて、一対の端面部５１ｄ、下側リブ６６、挿入部６１及び孔縁部６７を有している。また、第２部材７２は、下面部５１ｃから上方に向けて延出した嵌合部７３を有しており、第１部材７１の一対の側面部５１ａの内側に嵌合部７３が嵌合されることで、第１部材７１と第２部材７２とが互いに組み付けられている。
【００９０】
（６）上記実施形態では、流れ規制体５１により規制通路５３が形成されていたが、壁通気部４１と隙間開放部１８ａとの位置関係により規制通路が形成されてもよい。例えば、隙間開放部１８ａが、壁幅方向に沿って延びた細長形状とされているのではなく、壁幅方向に沿って所定間隔で複数並べて設けられ、壁通気部４１が隙間開放部１８ａに対して壁幅方向にずれた位置に配置された構成とする。この場合、壁通気部４１と隙間開放部１８ａとが互い違いに配置されていることになり、壁幅方向において壁通気部４１及び隙間開放部１８ａの両方が存在しない部分が、空気の流れを壁幅方向について案内し、壁厚み方向及び壁高さ方向について遮断する案内通路に相当する。
【００９１】
（７）上記実施形態では、笠木ホルダ３１と流れ規制体５１とが壁幅方向に沿って横並びに配置されていたが、これら笠木ホルダ３１と流れ規制体５１とは、壁厚み方向に並べて配置されていてもよく、壁高さ方向に重ねて配置されていてもよい。例えば、壁厚み方向において、パラペット１５の中心よりも一方側に流れ規制体５１が配置され、他方側に笠木ホルダ３１が配置された構成とする。
【００９２】
（８）規制通路５３が設けられた壁部は、笠木及び壁本体を有していれば、パラペット１５でなくても、手摺壁や腰壁とされていてもよい。また、壁部は、屋根１２ではなく、バルコニーやベランダなどに設けられていてもよい。
【符号の説明】
【００９３】
１０…建物、１５…壁部としてのパラペット、１６…壁本体としてのパラペット本体、１７…笠木、１８…笠木隙間、１８ａ…隙間開放部、２１…壁内空間、４１…壁通気部、５１…通路形成体としての流れ規制体、５１ａ…遮断部を構成する中間部としての側面部、５１ｂ…遮断部を構成する覆い部としての上面部、５１ｃ…重ね部としての下面部、５３…案内通路としての規制通路、５４…通路開放部、５５…非案内通路としての非規制通路、６１…挿入部、６２…引っ掛け部。
【図１】
2015132105.tif 000003
【図２】
2015132105.tif 000004
【図３】
2015132105.tif 000005
【図４】
2015132105.tif 000006
【図５】
2015132105.tif 000007
【図６】
2015132105.tif 000008
【図７】
2015132105.tif 000009